(57)【要約】【課題】写真は、平滑表面の映像であり、視覚障害の方は、手で触っても感じ取ることが出来ない。視覚障害の方が独自に写真の内容を手触りで感じ取ることが出来る、触知写真を提供する。【解決手段】視覚障害の方が、独自に触って感じ取ることが出来るように、合成樹脂板を利用することによって、写真表面の人物像の周辺に段差を設けること、人物像と人物像の間に溝を設けることで、手触りによって人物像の輪郭を感じ取ることができる、触知写真を提供することを特徴とする。【選択図】図１
2018063325.tif 000002
【特許請求の範囲】
【請求項１】
写真に写っている人物像の輪郭を、手触りで感じ取ることができるようにした触知写真であって、支持体と支持体上に感光性合成樹脂を重ねた感光性合成樹脂板を加工し、人物像の周辺に境界段差や凹状溝を生成させることによって、人物像の輪郭を形状的に明確にした触知写真。
【請求項２】
写真の表面をネガフィルムに複写して、ネガフィルムの人物像の周辺に補修材料を使用して修整し感光性合成樹脂板の要所に、露光による境界段差や凹状溝を生成させるネガフィルムを利用した、請求項1に記載の触知写真。
【請求項３】
修整したネガフィルムを感光性合成樹脂板の感光性合成樹脂面の方に重ね合わせ、フィルムの面の方から露光装置を使って所要時間露光させて、感光性合成樹脂の要所に露光効果を付与することができるネガフィルムを利用した、請求項1に記載の触知写真。
【請求項４】
感光性合成樹脂板に重ね合わせたネガフィルムの面の方から所要時間露光させた後、フィルムを取り除き、水を使用して現像し、さらに水洗処理して感光性合成樹脂層に生じた境界段差や凹状溝を、手触りで感じ取ることができる人物像の輪郭となるようにした、請求項１に記載の触知写真。
【請求項５】
触知写真に生じた輪郭形状の2人以上の人物像の輪郭単位表面に、適宜順番に点字表示の数字番号を付して、その点字表示の数字番号に対応する、番号及び氏名の墨字と点字を併記した表を添付した、請求項１に記載の触知写真。
【発明の詳細な説明】
【技術分野】
【０００１】
この発明は、視覚障害の方が、手触りによって感じ取ることができる触知写真に関する。
【背景技術】
【０００２】
写真の映像は、視覚をとおして、撮影された人物や背景状況又その時の雰囲気をも思い出すことができる。従来、視覚障害の方は、その写真のことを視覚健常者の口頭解説によって聴覚をとおして思い起こすことができた。
【先行技術文献】
【特許文献】
【０００３】
【特許文献１】公開特許公報（Ａ）特開２０１５−１３９９４３
【発明の概要】
【発明が解決しようとする課題】
【０００４】
写真は、視覚障害の方にとって次のような欠点があった。
写真は、平滑表面であり、視覚障害の方は、手で触っても感じ取ることができなかった。又、〈特許文献１〉の（発明の名称）装飾プレート、については、そのプレートの写真部および装飾部を立体的に表現することにより、その出来事を、より鮮明に、見る者に印象付けることができ、記念品等としての価値を高めることを目的としているため、視覚障害の方にとっては、シート状材の膨出部位を感知できるものの、対象個々の輪郭などの内容を感じ取ることはできなかった。
本発明は、以上のような欠点をなくすためになされたものである。
【課題を解決するための手段】
【０００５】
写真の表面を、手で触って感じ取ることができるように加工して、加工した立体図柄が触知図柄となって、同時に視覚障害の方にとっては触知写真（図１及び、符号１）となる。
【０００６】
写真の表面をネガフィルムに複写して、複写したフィルムの人物像の周辺を背景や備品から明瞭に区分けすること、又、人物像と人物像の間に区分け幅を設けるなど、補修材料を用いて修整すること、又、パソコン画像処理技術を用いて区分け修整をするなど、輪郭を形状的に明確にする。
【０００７】
修整したフィルムを、支持体（符号３）をポリエステルフィルムなどにして、感光性合成樹脂層を積層した総厚さ１ミリメートル前後、面積Ａ４サイズなど適正サイズの感光性合成樹脂板の樹脂層（符号２）の面に重ね合わせる。
【０００８】
重ね合わせた後、露光装置を使用して、フィルムの面の方から所要時間露光させる。
【０００９】
露光の後、合成樹脂板からフィルムを取り除いて、合成樹脂板を水を使用して現像し、さらに水により洗浄処理する。露光は、フィルム面の黒、透明、濃淡、色彩、色調によって差異を生じ、洗浄仕上げした合成樹脂板表面にも、洗浄処理で溶出する深度に差異を生じる。この差異によって生じた、洗浄後の段差や凹状溝部（符号６）を形成した合成樹脂板は、フィルム表面の修整による所期の生成状態として、合成樹脂製の浮彫り状絵柄として得られることとなる。洗浄後段差底面（符号５）となった部分に対して、人物像輪郭の周辺では０．７ミリメートル程度の段差、人物像と人物像の間の溝部は、凹状溝巾２乃至５ミリメートル、凹状溝深さ０．７ミリメートル程度の凹状溝（符号６）となり、境界段差や凹状溝（符号6）に囲まれた段差上面（符号4）が人物像の輪郭として触って感じ取ることができる、触知写真（図１及び符号１）となる。
【００１０】
次に、触知写真に生じた輪郭形状2人以上の人物像の輪郭単位表面に、適宜順番に点字表示の数字番号を貼付する。点字表示の数字番号に対応する、番号および氏名の墨字と点字を併記した表を添付資料として付随させる。
【００１１】
輪郭を設けた人物像に付した点字表示番号と、添付資料の点字番号及び点字氏名を対比して触ることによって、触知写真の人物像を明確に特定できることとなる。
本発明は以上の構成よりなる触知写真である。
【発明の効果】
【００１２】
手触りで感じ取ることができない写真を、合成樹脂板を利用した、浮彫り状の触知図柄とすることによって、視覚障害の方も写真に類似した輪郭図柄を触知して、写真の内容の一部を知ること、思い出すことが可能になる。
【００１３】
この触知写真と添付資料の点字による番号、氏名を対比して、視覚障害の方も、独自にその写真撮影時の全体状況と人物個人個人まで思い起こすことができることとなる。
【００１４】
この発明による触知写真によって、視覚障害の方もその内容を独自に思い起こすこと、又、家族の方も、元になった写真と併せて、視覚障害の方と一緒になって、共通話題として語り合うことができる。
【００１５】
この触知写真について、人物像の場合、輪郭ごとに付した点字表示番号と、添付の点字表示番号、氏名等の表を対比触知することで、個々の氏名を確認することができる。加えて、録音機器を使用した、音声ガイドによって、撮影時の雰囲気や氏名をも、再生聞き取りできるようにして、思い出の情報を増大させることができる。
【００１６】
写真の映像のうち、街並み風景、山野風景など自然の情景も、手触りで感じ取ることができるように修整・改変して、その情景等も点字による解説のほか、録音機器による音声ガイドを使用して解説することができる。
【００１７】
教科書や各種図鑑、百科事典などの、写真の部分や図柄及び絵柄部分を、合成樹脂板等の触知図柄となし、点字による解説や、併せて録音機器による音声ガイドを使用して解説することで、触知及び聴覚による情景、状況等に接することができることとなる。
【図面の簡単な説明】
【００１８】
【図１】本発明、触知写真の複写平面図である。
【図２】本発明のＡ−Ａ断面図である。
【図３】本発明のＢ−Ｂ断面図である。
【発明を実施するための形態】
【００１９】
以下本発明を実施するための形態について説明する。
写真の映像を触って感じ取ることができるように合成樹脂板を加工して利用する。加工した立体図柄が視覚障害の方にとっては手触りで感じ取ることができる触知写真となる
【００２０】
写真をＡ４サイズ等必要サイズのネガフィルムに複写する。
【００２１】
複写したフィルムの人物像の周辺を、背景や備品等から区分けすること、また人物像と人物像の間に区分け巾を設けるなど、補修材料を使用して、フィルム表面の画像を修整して人物像の輪郭を明確にする。
【００２２】
修整したフィルムを、支持体をポリエステルフィルムにして、紫外線反応型合成樹脂層を積層した総厚さ１ミリメートル前後で、Ａ４サイズ等必要サイズの紫外線反応型合成樹脂板の樹脂層の面に重ね合わせる。
【００２３】
上記のように重ね合わせた後、紫外線照射装置を使用して、フィルムの面の方から紫外線を所要時間照射する。
【００２４】
紫外線照射の後、合成樹脂板からフィルムを取り除いて、合成樹脂板を水を使用して現像し、さらに水にて洗浄処理する。合成樹脂板に照射された紫外線は、フィルム面の黒色、透明、濃淡、色彩、色調によっても照射光量に差異を生じて、洗浄仕上げした合成樹脂板表面にも差異を生じ、洗浄処理で溶出する深度等にも差異を生じる。この差異によって生じた水洗後の段差や凹状溝を形成した合成樹脂板は、フィルム表面の修正による所期の生成として、合成樹脂製の浮彫り状となって、人物像周辺では０．７ミリメートル程度の段差、人物像と人物像の間の溝部は、凹状溝巾２乃至５ミリメートル、凹状溝深さ０．７ミリメートル程度の輪郭を形成する溝状となり、輪郭を手で触って感じ取ることができる触知図柄となる。この触知図柄が視覚障害の方にとって手触りで感じ取ることができる触知写真となる。
【００２５】
次に、触知写真の人物像の輪郭単位表面に、適宜順番に点字表示の数字番号を貼付する。また点字表示の番号に対応する、番号と氏名の点字を併記した表を添付資料として付随させる。
【００２６】
輪郭を設けた人物像に付した点字表示番号と、添付資料の点字番号及び氏名を触知・対比することによって、触知写真の人物を明確に特定できることになる。
【符号の説明】
【００２７】
１  触知写真。
２  合成樹脂層。
３  合成樹脂支持体。
４  触知写真の段差上面。
５  触知写真の段差底面。
６  触知写真の凹状溝部。
【図１】
2018063325.tif 000003
【図２】
2018063325.tif 000004
【図３】
2018063325.tif 000005